(57)【要約】【課題】出力される音声の品質の劣化を防ぎ、コストの増大を抑えると共に、効果音を出力することのできる再生装置を提供する。【解決手段】本発明のテレビ１０は、ＨＤＭＩケーブル４０、及び、Ｓ／ＰＤＩＦケーブル４５を介してＡＶアンプ２０と接続されており、ＨＤＭＩケーブル４０を介してＭＰＥＧ２ストリームの音声データを出力するＡＲＣ出力回路１１１と、Ｓ／ＰＤＩＦケーブル４５を介して効果音データを出力するデジタルオーディオトランスミッタ１１４と、を備えている。【選択図】図１
2013150079.tif 000002
【特許請求の範囲】
【請求項１】
コマンドを伝送するコマンド伝送ラインと、音声データを伝送するデータ伝送ラインとを含む第１の伝送ケーブル、及び、デジタル信号を伝送する第２の伝送ケーブルを介して音声出力装置と接続されており、
上記第１の伝送ケーブルを介して圧縮音声ストリームデータを出力する第１の出力手段と、
上記第２の伝送ケーブルを介して上記圧縮音声ストリームデータ以外の他の音声データを出力する第２の出力手段と、を備えている、
ことを特徴とする再生装置。
【請求項２】
上記第２の伝送ケーブルが上記音声出力装置の備える接続端子に接続されているか否かを検知する検知手段をさらに備え、
上記第２の出力手段は、上記検知手段により上記第２の伝送ケーブルが上記音声出力装置の備える接続端子に接続されていることが検知された場合に、上記他の音声データを出力する、
ことを特徴とする請求項１に記載の再生装置。
【請求項３】
上記検知手段は、上記第２の伝送ケーブルが上記音声出力装置の備える接続端子の何れに接続されているかを確認するための確認指示を、上記コマンド伝送ラインを介して上記音声出力装置に送信すると共に、上記音声出力装置からの接続情報に基づいて、上記第２の伝送ケーブルが上記音声出力装置の備える接続端子の何れに接続されているかを検知する、
ことを特徴とする請求項２に記載の再生装置。
【請求項４】
音声を出力する音声出力手段をさらに備え、
上記音声出力手段は、上記検知手段により上記第２の伝送ケーブルが上記音声出力装置の備える接続端子の何れにも接続されていないことが検知された場合に、上記他の音声データが表す音声を出力する、
ことを特徴とする請求項２又は３に記載の再生装置。
【請求項５】
上記他の音声データの表す音声は、上記再生装置に記憶されている効果音である、
ことを特徴とする請求項１から４の何れか１項に記載の再生装置。
【請求項６】
コマンドを伝送するコマンド伝送ラインと、音声データを伝送するデータ伝送ラインとを含む第１の伝送ケーブル、及び、デジタル信号を伝送する第２の伝送ケーブルを介して再生装置と接続されており、
上記第１の伝送ケーブルを介して入力される圧縮音声ストリームデータを取得する第１の取得手段と、
上記第２の伝送ケーブルを介して入力される上記圧縮音声ストリームデータ以外の他の音声データを取得する第２の取得手段と、
上記第２の取得手段によって取得された上記他の音声データの表す音声を、上記第１の取得手段によって取得された上記圧縮音声ストリームデータの表す音声に重畳して出力する音声出力手段と、を備えている、
ことを特徴とする音声出力装置。
【請求項７】
上記第２の伝送ケーブルが、自装置の備える接続端子の何れに接続されているのかを確認する確認手段をさらに備え、
上記音声出力手段は、上記確認手段によって上記第２の伝送ケーブルが接続されていることが確認された接続端子を介して取得した上記他の音声データの表す音声を、上記第１の取得手段によって取得された上記圧縮音声ストリームデータの表す音声に重畳して出力する、
ことを特徴とする請求項６に記載の音声出力装置。
【請求項８】
上記確認手段は、上記第２の伝送ケーブルが自装置の備える接続端子の何れに接続されているかを確認するための確認指示を上記コマンド伝送ラインを介して上記再生装置から受信すると共に、上記第２の伝送ケーブルが自装置の備える接続端子の何れに接続されているのかを示す接続情報を上記再生装置に送信する、
ことを特徴とする請求項７に記載の音声出力装置。
【請求項９】
上記他の音声データの表す音声は、上記再生装置に記憶されている効果音である、
ことを特徴とする請求項６に記載の音声出力装置。
【請求項１０】
再生装置の制御方法であって、
上記再生装置は、コマンドを伝送するコマンド伝送ラインと、音声データを伝送するデータ伝送ラインとを含む第１の伝送ケーブル、及び、デジタル信号を伝送する第２の伝送ケーブルを介して音声出力装置と接続されており、
上記第１の伝送ケーブルを介して圧縮音声ストリームデータを出力する第１の出力ステップと、
上記第２の伝送ケーブルを介して上記圧縮音声ストリームデータ以外の他の音声データを出力する第２の出力ステップと、を含んでいる、
ことを特徴とする制御方法。
【請求項１１】
音声出力装置における音声出力方法であって、
上記音声出力装置は、コマンドを伝送するコマンド伝送ラインと、音声データを伝送するデータ伝送ラインとを含む第１の伝送ケーブル、及び、デジタル信号を伝送する第２の伝送ケーブルを介して再生装置と接続されており、
上記第１の伝送ケーブルを介して入力される圧縮音声ストリームデータを取得する第１の取得ステップと、
上記第２の伝送ケーブルを介して入力される上記圧縮音声ストリームデータ以外の他の音声データを取得する第２の取得ステップと、
上記第２の取得ステップにおいて取得された上記他の音声データの表す音声を、上記第１の取得ステップにおいて取得された上記圧縮音声ストリームデータの表す音声に重畳して出力する音声出力ステップと、を含んでいる、
ことを特徴とする音声出力方法。
【請求項１２】
請求項１から５の何れか１項に記載の再生装置を備えている、
ことを特徴とするテレビジョン受像機。
【請求項１３】
請求項１から５の何れか１項に記載の再生装置と、
請求項６から９の何れか１項に記載の音声出力装置と、備えている、
ことを特徴とする音声再生システム。
【請求項１４】
請求項１から５のいずれか１項に記載の再生装置が備えているコンピュータを動作させるプログラムであって、上記コンピュータを上記の各手段として機能させるためのプログラム。
【請求項１５】
請求項６から９のいずれか１項に記載の音声出力装置が備えているコンピュータを動作させるプログラムであって、上記コンピュータを上記の各手段として機能させるためのプログラム。
【請求項１６】
請求項１４又は１５に記載のプログラムを記録したコンピュータ読み取り可能な記録媒体。
【発明の詳細な説明】
【技術分野】
【０００１】
本発明は、音声を出力する再生装置、及び、音声出力装置に関する。
【背景技術】
【０００２】
従来、テレビジョン受像機（以降、テレビとも呼称する）とＡＶアンプとの間で、Ｓ／ＰＤＩＦ（Sony Philips Digital Interface）の規格に準じ、ＡＡＣ（Advanced Audio Coding）及びＡＣ−３（Audio Coding number 3）などの方式で圧縮された圧縮音声ストリームデータを送受信することは一般的に行われている。Ｓ／ＰＤＩＦの規格に準じた信号を伝送する伝送手段としては、例えば、ＨＤＭＩの規格に準拠したＡＲＣ（Audio Return Channel）、光デジタルケーブル（オプティカル）、及び、同軸ケーブル（コアキシャル）などを挙げることができる。
【０００３】
また、テレビとＡＶアンプとをＨＤＭＩケーブルで接続した場合、ＣＥＣコマンドを用いて、テレビのスピーカから音声を出力するか、ＡＶアンプのスピーカから音声を出力するかを切り替えることができる。
【０００４】
さらに、近年では、放送番組に情報コンテンツが重畳されたデータ放送番組が普及してきており、データ放送番組を受信すると、テレビには、映像コンテンツと共に情報コンテンツが表示される。データ放送番組を表示している場合、例えば、ユーザは、リモコンを操作してテレビに表示された情報コンテンツに含まれる選択肢の何れかにカーソルを合わせることにより、選択肢を選ぶことができる。
【０００５】
このような場合には、ユーザのリモコン操作に応じてテレビに表示されるカーソルが動いた際に効果音を鳴らすことにより、ユーザは、リモコン操作がテレビに受け付けられたことを認識することができる。また、効果音を鳴らすことにより、リモコン操作がテレビの画面に反映されるまでの反応時間の遅さなどによりユーザが感じるストレスを軽減することができる。
【０００６】
なお、効果音の再生は、リモコンの操作信号（例えば、カーソルボタンの押下及び色ボタンの押下など）には、ＡＲＩＢ（電波産業会）規格で決められた効果音を正しく再生させるためのインデックスが含まれており、リモコンの操作信号を受信するテレビにおいて、インデックスと予め関連付けられて記録されている効果音を読み出すことにより、実現されている。
【０００７】
特許文献１には、録画されている番組から音声を切り出して効果音データを生成し、ユーザの各動作に対して効果音データを設定することにより、所望の効果音が出力可能な映像音声記録再生装置が開示されている。
【０００８】
また、特許文献２には、リニアＰＣＭ（Linear Pulse Code Modulation）方式で変換されたデジタルオーディオと、サウンドデータ（効果音）とをミックス（重畳）して出力する再生装置が開示されている。
【先行技術文献】
【特許文献】
【０００９】
【特許文献１】特開２００７−２６６８０７号公報（２００７年１０月１１日公開）
【特許文献２】国際公開第２００６／０８０４６０号パンフレット（２００６年８月３日公開）
【発明の概要】
【発明が解決しようとする課題】
【００１０】
従来技術における、音声及び効果音を出力する音声出力システムの概略について、図７を参照して説明する。図７は、従来技術における、音声及び効果音を出力する音声出力システムの概略を示す図である。
【００１１】
図７（ａ）は、テレビ８０からＡＶアンプ９０への音声データの供給を、圧縮音声ストリームデータにより行う場合を示し、（ｂ）は、ＰＣＭ方式で変換された音声データ（以降では、ＰＣＭ変換データとも呼称する）により行う場合を示し、（ｃ）は、テレビ８０において圧縮音声ストリームデータからＰＣＭ変換データにデコードされた後、再び圧縮音声ストリームデータにエンコードされた音声データにより行う場合を示している。
【００１２】
図７（ａ）に示すように、圧縮音声ストリームデータの送受信に対応したテレビ８０とＡＶアンプ９０とをＨＤＭＩケーブル及び光デジタルケーブルで接続してＡＶアンプ９０のスピーカ９０２から音声を出力する場合、スピーカ９０２から効果音を出力することはできない。これは、テレビ８０のアンテナ８０１において受信された放送番組の圧縮音声ストリームデータに、効果音を重畳させることができないためである。
【００１３】
上記のように、圧縮音声ストリームデータに効果音を重畳させることができないため、図７（ａ）に示すような、特許文献１に記載の技術では、ＡＶアンプ９０のデコーダ９０１において圧縮音声ストリームデータをデコードして音声を出力する場合、効果音を出力することができないという問題があった。
【００１４】
これに対し、引用文献２では、図７（ｂ）に示すように、テレビ８０のデコーダ８０２において圧縮音声ストリームデータをデコードした後ＰＣＭ変換データとすることにより、音声データに効果音を重畳することができるため、効果音をＡＶアンプから出力することができる。
【００１５】
しかし、ＰＣＭ方式で変換された音声データは、圧縮音声ストリームデータでテレビからＡＶアンプへ供給された音声データと比較して、高音質を維持することができない。これは、圧縮音声ストリームデータによって供給される５．１ｃｈに対応するサラウンドの音声データをＰＣＭ方式で変換する場合、ＡＲＣ、光デジタルケーブル、及び、同軸ケーブルでは、帯域上の制限から、５．１ｃｈに対応したＰＣＭ変換データを送信することが不可能であることから、２ｃｈに対応するようダウンミックスしなければならないためである。
【００１６】
つまり、図７（ｂ）に示すような、引用文献２に記載の技術では、ＡＶアンプから出力される音声の品質が劣化してしまい、迫力のある音声を楽しむことができなくなるという問題があった。
【００１７】
また、図７（ｃ）に示すように、テレビ８０にさらにエンコーダ８０３を設け、効果音を重畳した音声データを圧縮音声ストリームデータにエンコードすれば、スピーカ９０２から出力される音声の品質を維持したまま、効果音を出力することもできる。
【００１８】
しかし、エンコーダ８０３を設ける場合には、エンコーダ８０３における処理に必要なメモリ、及び、処理クロックアップをさらに設ける必要があり、著しいコストの増大を招くことになる。また、エンコードする形式によっては、ロイヤリティなどが必要になり、さらにコストが増大する。
【００１９】
このように、図７（ｃ）に示す構成では、コストが増大してしまうという問題があった。
【００２０】
本発明は、上記の課題を解決するためになされたものであり、その主たる目的は、出力される音声の品質の劣化を防ぎ、コストの増大を抑えると共に、効果音を出力することのできる再生装置を提供することにある。
【課題を解決するための手段】
【００２１】
本発明に係る再生装置は、上記の課題を解決するために、コマンドを伝送するコマンド伝送ラインと、音声データを伝送するデータ伝送ラインとを含む第１の伝送ケーブル、及び、デジタル信号を伝送する第２の伝送ケーブルを介して音声出力装置と接続されており、上記第１の伝送ケーブルを介して圧縮音声ストリームデータを出力する第１の出力手段と、上記第２の伝送ケーブルを介して上記圧縮音声ストリームデータ以外の他の音声データを出力する第２の出力手段と、を備えている、ことを特徴としている。
【００２２】
上記の構成によれば、上記再生装置は、上記圧縮音声ストリームデータと、上記他の音声データとを、それぞれ異なる伝送ケーブルを介して上記音声出力装置に出力する。これにより、圧縮音声ストリームデータが表す音声の劣化を招来することなく、当該圧縮音声ストリームデータが表す音声と上記他の音声データが表す音声とを上記音声出力装置から出力することができる。
【００２３】
また、上記再生装置は、上記圧縮音声ストリームデータ及び上記他の音声データを重畳して伝送する必要がないため、当該重畳して伝送するための構成要素（例えば、デコードした情報を再びエンコードするエンコーダなど）をさらに備える必要がない。つまり、上記再生装置は、上記再生装置と上記音声出力装置とを２本の異なるケーブルを介して接続するだけで、コストの増大を招くことなく、上記圧縮音声ストリームデータ及び上記他の音声データを共に上記音声出力装置に出力することができる。
【００２４】
したがって、上記再生装置は、音声の品質の劣化を防ぎ、コストの増大を抑えると共に、上記圧縮音声ストリームデータ及び上記他の音声データを出力することができる。
【００２５】
また、本実施形態に係る再生装置は、上記第２の伝送ケーブルが上記音声出力装置の備える接続端子に接続されているか否かを検知する検知手段をさらに備え、上記第２の出力手段は、上記検知手段により上記第２の伝送ケーブルが上記音声出力装置の備える接続端子に接続されていることが検知された場合に、上記他の音声データを出力する、ことが好ましい。
【００２６】
上記の構成によれば、上記第２の出力手段は、上記検知手段によって上記第２の伝送ケーブルが上記音声再生装置の備える接続端子に接続されていないことが検知された場合には、上記他の音声データを出力しない。これによって、上記再生装置は、上記第２の伝送ケーブルが上記音声再生装置の備える接続端子に接続されていない場合に上記他の音声データを出力してしまうことを防ぐことができる。
【００２７】
また、本発明に係る再生装置において、上記検知手段は、上記第２の伝送ケーブルが上記音声出力装置の備える接続端子の何れに接続されているかを確認するための確認指示を、上記コマンド伝送ラインを介して上記音声出力装置に送信すると共に、上記音声出力装置からの接続情報に基づいて、上記第２の伝送ケーブルが上記音声出力装置の備える接続端子の何れに接続されているかを検知する、ことが好ましい。
【００２８】
上記の構成によれば、上記検知手段は、上記第１の伝送ケーブルに含まれる上記コマンド伝送ラインを介して、上記確認指示を上記音声出力装置に送信し、上記音声出力装置からの接続情報を取得する。これにより、上記検知手段は、上記第２の伝送ケーブルが、上記音声出力装置の備える接続端子の何れに接続されているかを直接検知することのできないケーブルであっても、上記第１の伝送ケーブルを介して、上記音声出力装置の備える接続端子の何れに接続されているかを間接的に検知することができる。
【００２９】
また、本発明に係る再生装置は、音声を出力する音声出力手段をさらに備え、上記音声出力手段は、上記検知手段により上記第２の伝送ケーブルが上記音声出力装置の備える接続端子の何れにも接続されていないことが検知された場合に、上記他の音声データが表す音声を出力する、ことが好ましい。
【００３０】
上記の構成によれば、上記再生装置は、上記第２の伝送ケーブルが上記音声出力装置に接続されていない場合に、上記他の音声データが表す音声を上記音声出力手段から出力することができる。これにより、上記再生装置は、上記第２の伝送ケーブルが上記音声出力装置に接続されていない場合に上記他の音声データが表す音声が出力されなくなることを防ぐことができる。
【００３１】
また、本発明に係る再生装置において、上記他の音声データの表す音声は、上記再生装置に記憶されている効果音である、ことが好ましい。
【００３２】
本発明に係る音声出力装置は、上記の課題を解決するために、コマンドを伝送するコマンド伝送ラインと、音声データを伝送するデータ伝送ラインとを含む第１の伝送ケーブル、及び、デジタル信号を伝送する第２の伝送ケーブルを介して再生装置と接続されており、上記第１の伝送ケーブルを介して入力される圧縮音声ストリームデータを取得する第１の取得手段と、上記第２の伝送ケーブルを介して入力される上記圧縮音声ストリームデータ以外の他の音声データを取得する第２の取得手段と、上記第２の取得手段によって取得された上記他の音声データの表す音声を、上記第１の取得手段によって取得された上記圧縮音声ストリームデータの表す音声に重畳して出力する音声出力手段と、を備えている、ことを特徴としている。
【００３３】
上記の構成によれば、上記音声出力装置には、上記圧縮音声ストリームデータと、他の音声データとが、それぞれ異なる伝送ケーブルを介して入力される。これにより、上記音声出力装置は、圧縮音声ストリームデータが表す音声の劣化を招来することなく、当該圧縮音声ストリームデータが表す音声に重畳して、上記他の音声データが表す音声を出力することができる。
【００３４】
また、上記再生装置は、圧縮音声ストリームデータと音声データとを重畳して伝送する必要がないため、圧縮音声ストリームデータ及び音声データを重畳するのに必要な構成要素をさらに備える必要がない。つまり、上記音声出力装置は、当該音声出力装置と上記再生装置とを２本の異なるケーブルを介して接続するだけで、コストの増大を招くことなく、上記再生装置から上記圧縮音声ストリームデータ及び上記他の音声データを取得することができる。
【００３５】
したがって、上記音声出力装置は、上記再生装置における音声の品質の劣化を防ぎ、コストの増大を抑えると共に、上記圧縮音声ストリームデータ及び上記他の音声データの表す音声を出力することができる。
【００３６】
また、本発明に係る音声出力装置は、上記第２の伝送ケーブルが、自装置の備える接続端子の何れに接続されているのかを確認する確認手段をさらに備え、上記音声出力手段は、上記確認手段によって上記第２の伝送ケーブルが接続されていることが確認された接続端子を介して取得した上記他の音声データの表す音声を、上記第１の取得手段によって取得された上記圧縮音声ストリームデータの表す音声に重畳して出力する、ことが好ましい。
【００３７】
上記の構成によれば、上記音声出力装置は、上記確認手段によって上記第２の伝送ケーブルが接続されていることが確認された接続端子以外の接続端子を介して取得したデータが表す音声については、上記圧縮音声ストリームデータの表す音声に重畳して出力しない。したがって、上記音声出力手段は、上記第１及び第２の伝送ケーブル以外のケーブルが上記音声出力装置に接続されている場合にも、上記第１及び第２の伝送ケーブル以外のケーブルを介して入力されるデータが表す音声を出力してしまうことを防ぐことができる。
【００３８】
また、本発明に係る音声出力装置において、上記確認手段は、上記第２の伝送ケーブルが自装置の備える接続端子の何れに接続されているかを確認するための確認指示を上記コマンド伝送ラインを介して上記再生装置から受信すると共に、上記第２の伝送ケーブルが自装置の備える接続端子の何れに接続されているのかを示す接続情報を上記再生装置に送信する、
上記の構成によれば、上記確認手段は、上記第１の伝送ケーブルに含まれる上記コマンド伝送ラインを介して、上記確認指示を上記再生装置から受信し、上記再生装置に上記接続情報を送信する。これにより、上記確認手段は、上記第２の伝送ケーブルが、上記再生装置において上記音声出力装置の備える接続端子の何れに接続されているかを直接検知することのできないケーブルであっても、上記第１の伝送ケーブルを介して、上記音声出力装置の備える接続端子の何れに接続されているかを上記再生装置に通知することができる。
【００３９】
また、本発明に係る音声出力装置において、上記他の音声データの表す音声は、上記再生装置に記憶されている効果音である、ことが好ましい。
【００４０】
本発明に係る制御方法は、上記の課題を解決するために、再生装置の制御方法であって、上記再生装置は、コマンドを伝送するコマンド伝送ラインと、音声データを伝送するデータ伝送ラインとを含む第１の伝送ケーブル、及び、デジタル信号を伝送する第２の伝送ケーブルを介して音声出力装置と接続されており、上記第１の伝送ケーブルを介して圧縮音声ストリームデータを出力する第１の出力ステップと、上記第２の伝送ケーブルを介して上記圧縮音声ストリームデータ以外の他の音声データを出力する第２の出力ステップと、を含んでいる、ことを特徴としている。
【００４１】
上記の構成によれば、上記再生装置は、上記圧縮音声ストリームデータと、上記他の音声データとを、それぞれ異なる伝送ケーブルを介して上記音声出力装置に出力する。これにより、圧縮音声ストリームデータが表す音声の劣化を招来することなく、当該圧縮音声ストリームデータが表す音声と上記他の音声データが表す音声とを上記音声出力装置から出力することができる。
【００４２】
また、上記再生装置は、上記圧縮音声ストリームデータ及び上記他の音声データを重畳して伝送する必要がないため、当該重畳して伝送するための構成要素をさらに備える必要がない。つまり、上記再生装置は、上記再生装置と上記音声出力装置とを２本の異なるケーブルを介して接続するだけで、コストの増大を招くことなく、上記圧縮音声ストリームデータ及び上記他の音声データを共に上記音声出力装置に出力することができる。
【００４３】
したがって、上記再生装置は、音声の品質の劣化を防ぎ、コストの増大を抑えると共に、上記圧縮音声ストリームデータ及び上記他の音声データを出力することができる。
【００４４】
本発明に係る音声出力方法は、上記の課題を解決するために、音声出力装置における音声出力方法であって、上記音声出力装置は、コマンドを伝送するコマンド伝送ラインと、音声データを伝送するデータ伝送ラインとを含む第１の伝送ケーブル、及び、デジタル信号を伝送する第２の伝送ケーブルを介して再生装置と接続されており、上記第１の伝送ケーブルを介して入力される圧縮音声ストリームデータを取得する第１の取得ステップと、上記第２の伝送ケーブルを介して入力される上記圧縮音声ストリームデータ以外の他の音声データを取得する第２の取得ステップと、上記第２の取得ステップにおいて取得された上記他の音声データの表す音声を、上記第１の取得ステップにおいて取得された上記圧縮音声ストリームデータの表す音声に重畳して出力する音声出力ステップと、を含んでいる、ことを特徴としている。
【００４５】
上記の構成によれば、上記音声出力装置には、上記圧縮音声ストリームデータと、他の音声データとが、それぞれ異なる伝送ケーブルを介して入力される。これにより、上記音声出力装置は、圧縮音声ストリームデータが表す音声の劣化を招来することなく、当該圧縮音声ストリームデータが表す音声に重畳して、上記他の音声データが表す音声を出力することができる。
【００４６】
また、上記再生装置は、圧縮音声ストリームデータと音声データとを重畳して伝送する必要がないため、圧縮音声ストリームデータ及び音声データを重畳するのに必要な構成要素をさらに備える必要がない。つまり、上記音声出力装置は、当該音声出力装置と上記再生装置とを２本の異なるケーブルを介して接続するだけで、コストの増大を招くことなく、上記再生装置から上記圧縮音声ストリームデータ及び上記他の音声データを取得することができる。
【００４７】
なお、上記再生装置を備えるテレビジョン受像機、及び、上記再生装置と上記音声出力装置とを備える音声再生システムも本発明の範疇に入る。
【００４８】
なお、コンピュータを本発明に係る再生装置として動作させるためのプログラムであって、上記コンピュータを上記再生装置の各手段として機能させることを特徴とするプログラム、コンピュータを本発明に係る音声出力装置として動作させるためのプログラムであって、上記コンピュータを上記音声出力装置の各手段として機能させることを特徴とするプログラム、及び、それらのプログラムを記録したコンピュータ読み取り可能な記録媒体も本発明の範疇に含まれる。
【発明の効果】
【００４９】
本発明に係る再生装置は、以上のように、コマンドを伝送するコマンド伝送ラインと、音声データを伝送するデータ伝送ラインとを含む第１の伝送ケーブル、及び、デジタル信号を伝送する第２の伝送ケーブルを介して音声出力装置と接続されており、上記第１の伝送ケーブルを介して圧縮音声ストリームデータを出力する第１の出力手段と、上記第２の伝送ケーブルを介して上記圧縮音声ストリームデータ以外の他の音声データを出力する第２の出力手段と、を備えている、ことを特徴としている。
【００５０】
したがって、上記再生装置は、音声の品質の劣化を防ぎ、コストの増大を抑えると共に、上記圧縮音声ストリームデータ及び上記他の音声データを出力することができる。
【図面の簡単な説明】
【００５１】
【図１】本発明の一実施形態に係る音声再生システムの構成の概略を示すブロック図である。
【図２】本発明の一実施形態に係るテレビにおける接続確認処理の流れを示すフローチャートである。
【図３】本発明の一実施形態に係るテレビとＡＶアンプとの接続を確認する接続確認処理の流れを示すシーケンス図である。
【図４】本発明の一実施形態に係るテレビにおける効果音再生処理の流れを示すフローチャートである。
【図５】本発明の一実施形態に係るＡＶアンプにおける効果音再生処理の流れを示すフローチャートである。
【図６】本発明の他の実施形態に係る音声再生システムの構成の概略を示すブロック図である。
【図７】従来技術における、音声及び効果音を出力する音声出力システムの概略を示す図である。
【発明を実施するための形態】
【００５２】
＜実施形態１＞
本発明の一実施形態に係る、再生装置及び音声出力装置を備える音声再生システムについて、図１から図６を参照して説明すれば、以下の通りである。但し、この実施形態に記載されている構成は、特に特定的な記載がない限り、この発明の範囲をそれのみに限定する趣旨ではなく、単なる説明例に過ぎない。
【００５３】
〔音声再生システム〕
本実施形態に係る再生装置及び音声出力装置の構成について、図１を参照して以下に説明する。なお、本実施形態では、再生装置はテレビジョン受像機によって実現され、音声出力装置はＡＶアンプによって実現されているため、以降ではそれぞれテレビ、及び、ＡＶアンプと呼称する。図１は、本実施形態に係る音声再生システム１の構成の概略を示すブロック図である。
【００５４】
図１に示すように、音声再生システム１を構成するテレビ１０、及び、ＡＶアンプ２０は、ＨＤＭＩケーブル（第１の伝送ケーブル）４０、及び、デジタル信号を伝送するＳ／ＰＤＩＦケーブル（第２の伝送ケーブル）４５の２本のケーブルによって接続されている。
【００５５】
（テレビの構成）
まず、本実施形態に係るテレビ１０について、図１を参照して説明する。テレビ１０は、図１に示すように、チューナ１０１、デコーダ１０２、映像処理部１０３、モニタ１０４、音声処理部１０５、アンプ１０６、スピーカ（音声出力手段）１０７、メモリ１０８、リモコン受信部１０９、制御部（検知手段）１１０、ＡＲＣ出力回路（第１の出力手段）１１１、ＨＤＭＩレシーバ１１２、ＨＤＭＩ端子１１３、デジタルオーディオトランスミッタ（第２の出力手段）１１４、及び、Ｓ／ＰＤＩＦ端子１１５を備えている。
【００５６】
チューナ１０１は、放送番組を受信するためのチューナである。チューナ１０１としては、例えば、地上デジタル放送により放送される放送番組を受信する地上デジタル放送チューナ、及び、衛星放送により放送される放送番組を受信する衛星放送チューナなどを挙げることができる。
【００５７】
デコーダ１０２は、チューナ１０１によって受信された放送番組を復調し、映像部分及び音声部分に分割する手段である。デコーダ１０２は、例えば、受信された放送番組の受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、及び、ＭＰＥＧ２ストリームを映像部分（ＭＰＥＧ２ストリームの映像データとも呼称する）（例えば、ＭＰＥＧ２−Ｖｉｄｅｏなど）と音声部分（ＭＰＥＧ２ストリームの音声データ（圧縮音声ストリームデータ）とも呼称する）（例えば、ＭＰＥＧ２−ＡＣＣなど）とに分割する分割部などにより構成することができる。デコーダ１０２により復号されたＭＰＥＧ２ストリームの映像データ及び音声データは、それぞれ、映像処理部１０３及び音声処理部１０５に供給さる。
【００５８】
映像処理部１０３は、供給されたＭＰＥＧ２ストリームの映像データに基づき、その映像データが表す映像を表示するようにモニタ１０４を駆動する。映像処理部１０３は、例えば、供給されたＭＰＥＧ２ストリームの映像データを映像信号に復号する復号部、映像信号に画質を調整する処理及びスケーリングを行う処理などを施す処理部、及び、モニタ１０４を駆動する駆動部などにより構成することができる。
【００５９】
音声処理部１０５は、供給されたＭＰＥＧ２ストリームの音声データに基づき、その音声データが表す音声がスピーカ１０７から出力されるよう、音声信号をアンプ１０６に供給する。音声処理部１０５は、例えば、供給されたＭＰＥＧ２ストリームの音声データを音声信号に復号する復号部（図７における音声デコーダ８０２に相当）、及び、音声信号に音質を調整する処理及び音量を調整する処理などを施す処理部などにより構成することができる。
【００６０】
なお、音声処理部１０５は、ＡＶアンプ２０から音声を出力する場合には、供給されたＭＰＥＧ２ストリームの音声データを復号せず、そのままＡＲＣ出力回路１１１に供給する。
【００６１】
また、音声処理部１０５は、制御部１１０からの指示に従い、メモリ１０８から効果音を示す音声データ（以降、効果音データとも呼称する）を読み出す。また、音声処理部１０５は、チューナ１０１によって受信された放送番組に、警報音を出力する旨を指示する情報が含まれている場合には、メモリ１０８から効果音データ（具体的には、後述する警報音を示す音声データである警報音データ）を読み出す。
【００６２】
音声処理部１０５は、スピーカ１０７から効果音を出力する場合には、読み出した効果音データをアンプ１０６に供給し、ＡＶアンプ２０から効果音を出力する場合には、読み出した効果音データをデジタルオーディオトランスミッタ１１４に供給する。
【００６３】
アンプ１０６は、音声処理部１０５から供給された音声信号に基づいて、その音声信号が表す音声を出力するようにスピーカ１０７を駆動する。
【００６４】
メモリ１０８には、効果音データ（他の音声データ）が格納されている。効果音としては、例えば、リモコン操作（カーソルボタンの押下及び色ボタンの押下など）をうけつけた場合に出力される操作音、テレビ電話システムの着信音、及び、緊急地震速報の警報音などを挙げることができる。
【００６５】
リモコン受信部１０９は、ユーザがリモートコントローラ（以降、リモコンとも呼称する）を操作することにより送信されるリモコン信号を受信する。リモコン受信部１０９は、受信したリモコン信号を制御部１１０に供給する。
【００６６】
制御部１１０は、テレビ１０が備える各部を制御する。また、制御部１１０は、リモコン受信部１０９が受信したリモコン信号に応じてテレビ１０が備える各部を制御する。リモコン信号に応じた制御としては、例えば、チューナ１０１の受信チャンネルをリモコン信号に応じて切り替える制御などが挙げられる。
【００６７】
また、制御部１１０は、リモコン信号を受信すると、リモコン信号が示すリモコン操作の内容に対応した操作音をメモリ１０８から読み出すよう、音声処理部１０５に通知する。
【００６８】
さらに、制御部１１０は、ＨＤＭＩ端子１１３に接続されているＨＤＭＩケーブル４０のＣＥＣライン（コマンド伝送ライン）を介してＡＶアンプ２０との間でＣＥＣのベンダーコマンドを送受信することにより、ＡＶアンプ２０との接続確認を行う。ＣＥＣラインは、ＣＥＣコマンドを伝送する伝送ラインである。なお、制御部１１０における接続確認は、オーディオ機器が接続されているか否かの確認、及び、Ｓ／ＰＤＩＦケーブル４５が接続されているか否かの確認が含まれる。
【００６９】
ＡＲＣ出力回路１１１は、音声処理部１０５から供給されるＭＰＥＧ２ストリームの音声データを、ＨＤＭＩ端子１１３に接続されているＨＤＭＩケーブル４０のＡＲＣ（データ伝送ライン）を用いて送信する。
【００７０】
ＨＤＭＩレシーバ１１２は、ＨＤＭＩ端子１１３に接続されているＨＤＭＩケーブル４０のＴＭＤＳ（Transition Minimized Differential Signaling）ラインを介してＡＶアンプ２０から供給される映像データ、音声データ、及び、クロックデータを受信する。
【００７１】
デジタルオーディオトランスミッタ１１４は、音声処理部１０５から供給される効果音データを、Ｓ／ＰＤＩＦ端子１１５に接続されているＳ／ＰＤＩＦケーブル４５を介して送信する。
【００７２】
（ＡＶアンプの構成）
次に、本実施形態に係るＡＶアンプ２０について、図１を参照して説明する。ＡＶアンプ２０は、図１に示すように、ＨＤＭＩトランスミッタ（第１の取得手段）２０１、ＨＤＭＩ端子２０２、制御部（確認手段）２０３、デジタルオーディオレシーバ（第２の取得手段）２０４、Ｓ／ＰＤＩＦ端子（接続端子）２０５、音声処理部２０６、アンプ２０７、及び、スピーカ（音声出力手段）２０８を備えている。
【００７３】
ＨＤＭＩトランスミッタ２０１は、ＨＤＭＩ端子２０２に接続されているＨＤＭＩケーブル４０のＴＭＤＳラインを介して映像データ、音声データ、及び、クロックデータを送信する。また、ＨＤＭＩトランスミッタ２０１は、ＨＤＭＩ端子１１３に接続されているＨＤＭＩケーブル４０のＡＲＣを用いてテレビ１０から供給されるＭＰＥＧ２ストリームの音声データを受信する。ＨＤＭＩトランスミッタ２０１は、受信したＭＰＥＧ２ストリームの音声データを音声処理部２０６に供給する。
【００７４】
制御部２０３は、ＡＶアンプ２０の備える各部を制御する。また、制御部２０３は、ＨＤＭＩ端子２０２に接続されているＣＥＣラインを介してテレビ１０との間でベンダーコマンドを送受信することにより、接続確認を行う。
【００７５】
デジタルオーディオレシーバ２０４は、Ｓ／ＰＤＩＦ端子２０５に接続されているＳ／ＰＤＩＦケーブル４５を介してテレビ１０から供給される効果音データを受信する。デジタルオーディオレシーバ２０４は、受信した効果音データを、音声処理部２０６に供給する。
【００７６】
なお、ＡＶアンプ２０は、Ｓ／ＰＤＩＦ端子２０５を１つ又は複数備えており、本実施形態では、Ｓ／ＰＤＩＦ端子２０５を３つ（Ｓ／ＰＤＩＦ端子（接続端子）２０５ａ〜２０５ｃ）備えている場合を例に挙げて説明する。また、本実施形態では、Ｓ／ＰＤＩＦケーブル４５は、Ｓ／ＰＤＩＦ端子２０５ｂに接続されている。
【００７７】
音声処理部２０６は、供給されたＭＰＥＧ２ストリームの音声データに、効果音データを重畳する。音声処理部２０６は、例えば、供給されたＭＰＥＧ２ストリームの音声データを音声信号に復号する復号部（図７における音声デコーダ９０１に相当）、効果音データを効果音信号に復号する効果音復号部、及び、音声信号に効果音信号を重畳する重畳部などにより構成することができる。
【００７８】
音声処理部２０６は、音声信号が表す音声、及び、効果音信号が表す効果音がスピーカ２０８から出力されるよう、音声信号をアンプ２０７に供給する。
【００７９】
アンプ２０７は、音声処理部２０６から供給された音声信号及び効果音信号に基づいて、その音声信号が表す音声及び効果音を出力するようにスピーカ１０７を駆動する。
【００８０】
〔接続確認処理〕
次に、テレビ１０における、ＡＶアンプ２０との接続を確認する接続確認処理について、図２を参照して説明する。図２は、本実施形態に係るテレビ１０における、接続確認処理の流れを示すフローチャートである。
【００８１】
テレビ１０及びＡＶアンプ２０の電源がＯＮ状態に遷移すると、テレビ１０の備える制御部１１０は、オーディオ機器（本実施形態では、ＡＶアンプ２０）が、ＨＤＭＩケーブル４０を介して接続されているか否かを判定する（ステップＳ１０１）。なお、制御部１１０におけるＡＶアンプ２０の判定は、例えば、ＣＥＣコマンドを用いて、オーディオの論理アドレスを取得している機器が存在するか否かを確認することにより行えばよい。
【００８２】
ＡＶアンプ２０がＨＤＭＩケーブル４０を介して接続されていないと判定した場合（ステップＳ１０１においてＮＯ）、制御部１１０は、オーディオ機器フラグを「０」に設定する（ステップＳ１０２）。オーディオ機器フラグは、ＡＶアンプ２０の状態を表すフラグであり、オーディオ機器フラグが「０」である場合には、ＡＶアンプ２０がＨＤＭＩケーブル４０を介して接続されていない状態を示している。
【００８３】
ＡＶアンプ２０がＨＤＭＩケーブル４０を介して接続されていると判定した場合（ステップＳ１０１においてＹＥＳ）、制御部１１０は、ＣＥＣラインを介して、ＡＶアンプ２０が効果音の再生に対応しているか否かを判定する（ステップＳ１０３）。なお、ＡＶアンプ２０が効果音の再生に対応しているか否かの判定処理（効果音対応判定処理）は、例えば、ＣＥＣのベンダーコマンド（Vendor Command）を用いて行えばよい。効果音対応判定処理の詳細については、図面を変えて後述する。
【００８４】
効果音の再生に対応していると判定した場合（ステップＳ１０３においてＹＥＳ）、制御部１１０は、ＡＶアンプ２０がＳ／ＰＤＩＦケーブル４５を介して接続されているか否かを判定する（ステップＳ１０４）。なお、ＡＶアンプ２０がＳ／ＰＤＩＦケーブル４５を介して接続されているか否かの判定処理（Ｓ／ＰＤＩＦ接続判定処理）は、例えば、ＣＥＣのベンダーコマンドを用いて行えばよい。Ｓ／ＰＤＩＦ接続判定処理の詳細については、図面を変えて後述する。
【００８５】
ＡＶアンプ２０が効果音の再生に対応していないと判定した場合（ステップＳ１０３においてＮＯ）、又は、Ｓ／ＰＤＩＦケーブル４５を介して接続されていないと判定した場合（ステップＳ１０４においてＮＯ）、制御部１１０は、オーディオ機器フラグを「１」に設定する（ステップＳ１０５）。オーディオ機器フラグが「１」である場合には、ＡＶアンプ２０がＳ／ＰＤＩＦケーブル４５を介して接続されていない状態を示している。
【００８６】
ＡＶアンプ２０がＳ／ＰＤＩＦケーブル４５を介して接続されていると判定した場合（ステップＳ１０４においてＮＯ）、制御部１１０は、オーディオ機器フラグを「２」に設定する（ステップＳ１０６）。オーディオ機器フラグが「２」である場合には、ＡＶアンプ２０がＨＤＭＩケーブル４０及びＳ／ＰＤＩＦケーブル４５の双方を介して接続されている状態を示している。
【００８７】
オーディオ機器フラグが「０」、「１」又は「２」に設定されると、制御部１１０は、設定したオーディオ機器フラグをメモリ１０８に格納し（ステップＳ１０７）、接続確認処理を終了する。
【００８８】
（効果音対応判定処理、Ｓ／ＰＤＩＦ接続判定処理）
次に、テレビ１０の備える制御部１１０における効果音対応判定処理、及び、Ｓ／ＰＤＩＦ接続判定処理について、図３を参照して説明する。図３は、本実施形態に係る制御部１１０における、効果音対応判定処理、及び、Ｓ／ＰＤＩＦ接続判定処理を示すシーケンス図である。
【００８９】
本実施形態では、ＨＤＭＩ規格で規定されているＣＥＣコマンドの拡張用コマンドであり、任意の情報を含ませることができるベンダーコマンドによって、効果音対応判定処理、及び、Ｓ／ＰＤＩＦ接続判定処理を行う。なお、以下に説明するベンダーコマンドは、何れも、ＣＥＣラインを介して送受信されればよい。
【００９０】
まず、効果音対応判定処理（図２におけるステップＳ１０３）について説明する。図３に示すように、制御部１１０は、ＡＶアンプ２０が効果音の再生に対応しているか否かを問い合わせるコマンド（効果音対応問合せコマンド）を、ＡＶアンプ２０に出力する。
【００９１】
効果音対応問合せコマンドを受信すると、ＡＶアンプ２０の備える制御部２０３は、効果音の再生に対応しているか否かを示す返信コマンド（効果音対応返信コマンド）を、制御部１１０に出力する。
【００９２】
制御部１１０は、受信した効果音対応返信コマンドが、効果音の再生に対応している旨を示すコマンドであるか、対応していない旨を示すコマンドであるかに従って、ＡＶアンプ２０が効果音の再生に対応しているか否かを判定する。また、制御部１１０は、ＡＶアンプ２０から効果音対応返信コマンドが送信されてこない場合には、ＡＶアンプ２０が効果音の再生に対応していないと判定する。
【００９３】
次に、Ｓ／ＰＤＩＦ接続判定処理（図２におけるステップＳ１０４）について説明する。なお、Ｓ／ＰＤＩＦ端子１１５及び２０５は、例えばＨＤＭＩ端子１１３及び２０２のような接続確認のできない端子である。
【００９４】
また、本実施形態では、ＡＶアンプ２０が３つのＳ／ＰＤＩＦ端子２０５ａ〜２０５ｃを備えている。ここでは、テレビ１０のＳ／ＰＤＩＦ端子１１５がＳ／ＰＤＩＦケーブル４５を介してＡＶアンプ２０のＳ／ＰＤＩＦ端子２０５ａ〜２０５ｃの何れに接続されているかを判定する場合を例に挙げて説明する。
【００９５】
なお、Ｓ／ＰＤＩＦケーブル４５を介したテレビ１０とＡＶアンプ２０との接続の判定は、例えば、Ｓ／ＰＤＩＦ端子２０５に入力されるデジタルデータが受信できているか否かを判定することによって行えばよい。以降では、ＡＶアンプ２０において、Ｓ／ＰＤＩＦ端子２０５に入力されるデジタルデータが受信できている状態をロック状態、受信できていない状態をアンロック状態とも呼称する。
【００９６】
図３に示すように、制御部１１０は、Ｓ／ＰＤＩＦケーブル４５を介してデータを出力していない状態で、まず、Ｓ／ＰＤＩＦ端子２０５のロック状態を確認する＜ＳＰＤＩＦロック確認＞コマンドを、ＡＶアンプ２０に出力する。
【００９７】
ＡＶアンプ２０の備える制御部２０３は、＜ＳＰＤＩＦロック確認＞コマンドを取得すると、Ｓ／ＰＤＩＦ端子２０５の何れかの端子（例えば、Ｓ／ＰＤＩＦ端子２０５ａ）のロック状態の確認結果を通知する＜ＳＰＤＩＦロック確認結果応答＞コマンドをテレビ１０に出力する。Ｓ／ＰＤＩＦ端子２０５ａがロック状態である場合には、制御部２０３は、ロック状態であることを示す＜ＳＰＤＩＦロック確認結果応答／ロック＞コマンドをテレビ１０に出力する。
【００９８】
なお、制御部１１０は、テレビ１０がＳ／ＰＤＩＦケーブル４５を介してデータを出力していないにも拘らず、Ｓ／ＰＤＩＦ端子２０５ａがロック状態である（すなわち、データを受信している）場合には、Ｓ／ＰＤＩＦ端子２０５ａには他の機器が接続されていると判定する。
【００９９】
制御部１１０は、＜ＳＰＤＩＦロック確認結果応答／ロック＞コマンドを取得すると、ロック状態を確認する端子の切替要求を示す＜ＳＰＤＩＦ端子切替要求＞コマンドを送信する。
【０１００】
制御部２０３は、＜ＳＰＤＩＦ端子切替要求＞コマンドを取得すると、ロック状態を確認する端子を切り替える（図３における、ＳＰＤＩＦ確認端子切替）。また制御部２０３は、ロック状態を確認する端子を切り替えた旨を示す＜ＳＰＤＩＦ端子切替応答＞コマンドを出力する。
【０１０１】
制御部１１０は、＜ＳＰＤＩＦ端子切替応答＞コマンドを取得すると、再度、＜ＳＰＤＩＦロック確認＞コマンドをＡＶアンプ２０に出力する。
【０１０２】
制御部２０３は、＜ＳＰＤＩＦロック確認＞コマンドを取得すると、次に、Ｓ／ＰＤＩＦ端子２０５ａを除く何れかの端子（例えば、Ｓ／ＰＤＩＦ端子２０５ｂ）のロック状態の確認結果を通知する＜ＳＰＤＩＦロック確認結果応答＞コマンドをテレビ１０に出力する。Ｓ／ＰＤＩＦ端子２０５ｂがアンロック状態である場合には、制御部２０３は、アンロック状態であることを示す＜ＳＰＤＩＦロック確認結果応答／アンロック＞コマンドをテレビ１０に出力する。
【０１０３】
なお、制御部１１０は、Ｓ／ＰＤＩＦケーブル４５を介してデータを出力しておらず、Ｓ／ＰＤＩＦ端子２０５ｂがアンロック状態である（すなわち、データを受信していない）場合には、Ｓ／ＰＤＩＦ端子２０５ｂにはテレビ１０が接続されている可能性があると判定する。
【０１０４】
制御部１１０は、現在接続確認を行っている端子（Ｓ／ＰＤＩＦ端子２０５ｂ）がテレビ１０に接続されているかをさらに確認する旨を示す＜ＳＰＤＩＦ接続端子候補＞コマンドを送信する。
【０１０５】
また、制御部１１０は、ＡＶアンプ２０に対し、Ｓ／ＰＤＩＦケーブル４５を介してテストデータを送信する（図３における、ＳＰＤＩＦテストデータ出力）。テストデータを受信したＡＶアンプ２０は、テストデータを受信したＳ／ＰＤＩＦ端子２０５ｂにおいて、ロック状態とする。
【０１０６】
制御部１１０は、Ｓ／ＰＤＩＦケーブル４５を介してテストデータを出力している状態で、＜ＳＰＤＩＦロック確認＞コマンドをＡＶアンプ２０に出力する。
【０１０７】
制御部２０３は、＜ＳＰＤＩＦロック確認＞コマンドを取得すると、Ｓ／ＰＤＩＦ端子２０５ｂがロック状態であることを確認し、ロック状態であることを示す＜ＳＰＤＩＦロック確認結果応答／ロック＞コマンドをテレビ１０に出力する。
【０１０８】
制御部１１０は、Ｓ／ＰＤＩＦケーブル４５を介してテストデータを送信していない状態から送信している状態に遷移した際に、Ｓ／ＰＤＩＦ端子２０５ｂが、アンロック状態からロック状態に遷移したことにより、Ｓ／ＰＤＩＦ端子２０５ｂにテレビ１０が接続されている可能性が高いと判定する。
【０１０９】
制御部１１０は、さらに、Ｓ／ＰＤＩＦケーブル４５を介してテストデータを送信している状態から送信していない状態に遷移させる。これに伴い、Ｓ／ＰＤＩＦケーブル４５が接続されているＳ／ＰＤＩＦ端子２０５ｂは、ロック状態からアンロック状態に遷移する。
【０１１０】
制御部１１０は、Ｓ／ＰＤＩＦケーブル４５を介してデータを出力していない状態で、＜ＳＰＤＩＦロック確認＞コマンドをＡＶアンプ２０に出力する。
【０１１１】
制御部２０３は、＜ＳＰＤＩＦロック確認＞コマンドを取得すると、Ｓ／ＰＤＩＦ端子２０５ｂがアンロック状態であることを確認し、ロック状態であることを示す＜ＳＰＤＩＦロック確認結果応答／アンロック＞コマンドをテレビ１０に出力する。
【０１１２】
制御部１１０は、Ｓ／ＰＤＩＦケーブル４５を介してテストデータを送信していない状態から送信している状態に遷移し、さらに送信していない状態に遷移した際に、Ｓ／ＰＤＩＦ端子２０５ｂが、アンロック状態からロック状態に遷移し、さらにアンロック状態に遷移したことにより、Ｓ／ＰＤＩＦ端子２０５ｂにテレビ１０が接続されていると判定する。
【０１１３】
制御部１１０は、現在接続確認を行っている端子（Ｓ／ＰＤＩＦ端子２０５ｂ）を、テレビ１０が接続されている端子として決定する旨を示す＜ＳＰＤＩＦ接続端子決定＞コマンドを出力する。
【０１１４】
制御部１１０は、ＡＶアンプ２０の備えるＳ／ＰＤＩＦ端子２０５ｂにテレビ１０が接続されていると判定すると、ＡＶアンプ２０の状態として、オーディオ機器フラグを「２」に設定し、メモリ１０８に格納する。
【０１１５】
また、制御部２０３は、Ｓ／ＰＤＩＦ端子２０５ｂがテレビ１０と接続されていることを示すＳＰＤＩＦ接続端子情報を、ＡＶアンプ２０が備えるメモリ（不図示）に格納する。これにより、ＡＶアンプ２０は、テレビ１０から効果音データがＳ／ＰＤＩＦ端子２０５ｂに接続されたＳ／ＰＤＩＦケーブル４５を介して入力された場合に、ＨＤＭＩケーブル４０のＡＲＣを用いて入力されるＭＰＥＧ２ストリームの音声データが示す音声に効果音を重畳して出力することができる。
【０１１６】
上述の構成によれば、制御部１１０は、ＨＤＭＩケーブル４０に含まれるＣＥＣラインを介して、確認指示をＡＶアンプ２０に送信し、ＡＶアンプ２０からの接続情報を取得する。これにより、制御部１１０は、Ｓ／ＰＤＩＦケーブル４５が、ＡＶアンプ２０の備えるＳ／ＰＤＩＦ端子２０５ａ〜２０５ｃの何れに接続されているかを直接検知することのできないケーブルであっても、ＨＤＭＩケーブル４０を介して、Ｓ／ＰＤＩＦ端子２０５ａ〜２０５ｃの何れに接続されているかを間接的に検知することができる。
【０１１７】
なお、本実施形態では、確認指示は、テレビ１０の備える制御部１１０からＡＶアンプ２０の備える制御部２０３に出力される、接続確認を行うための複数の確認コマンドを含んで構成されている。また、接続情報は、制御部２０３から制御部１１０に出力される、確認コマンドに応答するための複数の応答コマンドを含んで構成されており、Ｓ／ＰＤＩＦ端子２０５ａ〜２０５ｃのそれぞれにＳ／ＰＤＩＦケーブル４５が接続されているか否かを示す情報である。
【０１１８】
〔テレビにおける効果音再生処理〕
次に、テレビ１０における、効果音の再生処理について、図４を参照して説明する。図４は、本実施形態に係るテレビ１０における効果音再生処理の流れを示すフローチャートである。ここでは、効果音が、ユーザがリモコンを操作した際に出力（再生）される操作音である場合を例に挙げて説明する。また、本実施形態では、音声がＡＶアンプ２０からのみ出力されるように設定されている場合を例に挙げて説明するが、もちろん、本発明はこれに限定されるものではなく、音声がテレビ１０及びＡＶアンプ２０の双方から出力される場合にも適用することができる。
【０１１９】
図４に示すように、まず、リモコン受信部１０９においてリモコン信号を受信する（ステップＳ２０１）。リモコン受信部１０９は、受信したリモコン信号を制御部１１０に供給する。
【０１２０】
制御部１１０は、供給されたリモコン信号が示すリモコン操作の種類（内容）を特定し（ステップＳ２０２）、特定したリモコン操作に応じて操作音を再生するか否かを判定する（ステップＳ２０３）。なお、制御部１１０における操作音を再生するか否かの判定方法は、特定したリモコン操作の内容が、操作音の再生を行うべき操作内容であるか否かを判定する方法を挙げることができるが、これに限定されるものではない。
【０１２１】
特定したリモコン操作に対応した操作音を再生すると判定した場合（ステップＳ２０３においてＹＥＳ）、制御部１１０は、再生する操作音の種類、及び、再生時間を決定する（ステップＳ２０４）。なお、再生する操作音の種類は、例えば、リモコン操作（例えば、カーソルボタンの押下、及び、色ボタンの押下など）に関連付けられている操作音をメモリ１０８から読み出すことで決定すればよい。また、再生時間は、ユーザがリモコンを操作する操作時間に応じて決定してもよいし、操作音の種類に対して予め設定されている再生時間を採用することで決定してもよい。
【０１２２】
操作音の種類、及び、再生時間を決定すると、制御部１１０は、メモリ１０８に格納されているオーディオ機器フラグの値を判定する（ステップＳ２０５）。
【０１２３】
オーディオ機器フラグの値が「２」であると判定すると（ステップＳ２０５において２）、制御部１１０は、音声処理部１０５に対し、決定した操作音が決定した再生時間だけＡＶアンプ２０から出力されるよう、ＡＶアンプ２０に操作音データを出力する旨の指示を通知する。
【０１２４】
制御部１１０からの通知を取得すると、音声処理部１０５は、メモリ１０８から操作音データを読出し、読み出した操作音データをデジタルオーディオトランスミッタ１１４に供給する。デジタルオーディオトランスミッタ１１４は、Ｓ／ＰＤＩＦ端子１１５に接続されたＳ／ＰＤＩＦケーブル４５を介してＡＶアンプ２０に出力する（ステップＳ２０６）。
【０１２５】
また、音声処理部１０５は、制御部１１０から通知された再生時間が経過すると、デジタルオーディオトランスミッタ１１４への効果音データの供給を停止する（ステップＳ２０７）。
【０１２６】
音声処理部１０５からの効果音データの供給が停止すると、デジタルオーディオトランスミッタ１１４は、ＡＶアンプ２０への効果音データの出力を停止する（ステップＳ２０８）。
【０１２７】
オーディオ機器フラグの値が「１」であると判定すると（ステップＳ２０５において１）、制御部１１０は、テレビ１０に設定されている、消音設定を解除する（ステップＳ２０９）。また、制御部１１０は、音声処理部１０５に対し、ステップＳ２０４において決定した操作音が決定した再生時間だけスピーカ１０７から出力されるよう、アンプ１０６に操作音データを供給する旨の指示を通知する。なお、消音設定とは、例えば、テレビ１０から音声が出力されない設定、又は、出力される音声のボリュームが０となる設定などである。
【０１２８】
制御部１１０からの通知を取得すると、音声処理部１０５は、メモリ１０８から操作音データを読出し、読み出した操作音データをアンプ１０６に供給する。アンプ１０６は、供給された操作音データが示す操作音が出力されるよう、スピーカ１０７を駆動する（ステップＳ２１０）。
【０１２９】
また、音声処理部１０５は、制御部１１０から通知された再生時間が経過すると、アンプ１０６への効果音データの供給を停止する。音声処理部１０５からの操作音データの供給が停止すると、アンプ１０６は、スピーカ１０７の駆動を停止して操作音の出力を停止する（ステップＳ２１１）。
【０１３０】
効果音の出力が停止されると、制御部１１０は、解除していた消音設定を、再び設定する（ステップＳ２１２）。
【０１３１】
また、オーディオ機器フラグの値が「０」であると判定すると（ステップＳ２０５において０）、制御部１１０は、音声処理部１０５に対し、スピーカ１０７から出力されている音声に効果音を重畳して出力する旨の指示を通知する。なお、オーディオ機器フラグの値が「０」である場合には、ＡＶアンプ２０がＨＤＭＩケーブル４０を介して接続されていないため、音声信号の示す音声（テレビ音声）がテレビ１０のスピーカ１０７から出力されている。
【０１３２】
制御部１１０からの通知を取得すると、音声処理部１０５は、メモリ１０８から操作音データを読出し、供給された操作音データが示す操作音が出力されるよう、音声信号の示す音声（テレビ音声）に重畳して、アンプ１０６に供給する（ステップＳ２１３）。
【０１３３】
また、音声処理部１０５は、制御部１１０から通知された再生時間が経過すると、操作音の重畳を停止する（ステップＳ２１４）。
【０１３４】
また、リモコン操作に対応した操作音を再生しないと判定した場合（ステップＳ２０３においてＮＯ）、制御部１１０は、効果音を出力せず、効果音再生処理を終了する。
【０１３５】
上述の構成によれば、テレビ１０は、ＭＰＥＧ２ストリームの音声データと、効果音データとを、それぞれ異なる伝送ケーブルを介してＡＶアンプ２０に出力する。これにより、ＭＰＥＧ２ストリームの音声データが表す音声の劣化を招来することなく、ＭＰＥＧ２ストリームの音声データが表す音声と効果音データが表す音声とをＡＶアンプ２０から出力することができる。
【０１３６】
また、テレビ１０は、ＭＰＥＧ２ストリームの音声データ及び効果音データを重畳して伝送する必要がないため、当該重畳して伝送するための構成要素をさらに備える必要がない。つまり、テレビ１０は、テレビ１０とＡＶアンプ２０とを２本の異なるケーブルを介して接続するだけで、コストの増大を招くことなく、ＭＰＥＧ２ストリームの音声データ及び効果音データを共にＡＶアンプ２０に出力することができる。
【０１３７】
したがって、テレビ１０は、音声の品質の劣化を防ぎ、コストの増大を抑えると共に、ＭＰＥＧ２ストリームの音声データ及び効果音データを出力することができる。
【０１３８】
また、上記の構成によれば、テレビ１０は、Ｓ／ＰＤＩＦケーブル４５がＡＶアンプ２０に接続されていない場合に、操作音データが表す音声をスピーカ１０７から出力することができる。これにより、テレビ１０は、Ｓ／ＰＤＩＦケーブル４５がＡＶアンプ２０に接続されていない場合に効果音データが表す音声が出力されなくなることを防ぐことができる。
【０１３９】
〔ＡＶアンプにおける効果音再生処理〕
次に、ＡＶアンプ２０における、効果音の再生処理について、図５を参照して説明する。図５は、本実施形態に係るＡＶアンプ２０における効果音再生処理の流れを示すフローチャートである。
【０１４０】
図５に示すように、ＡＶアンプ２０は、効果音の再生に対応している機器を視聴している状態か否かを判定する（ステップＳ３０１）。なお、効果音の再生に対応している機器を視聴している状態か否かを判定する判定方法としては、例えば、ＣＥＣコマンドを用いてＡｃｔｉｖｅになっている機器を問い合わせ、その返信コマンドを受信することにより視聴している機器を把握し、さらに、その機器から効果音対応問い合わせコマンドを受信した経緯があるかを確認することによる判定方法を挙げることができる。
【０１４１】
テレビ１０が効果音の再生に対応していると判定した場合（ステップＳ３０１においてＹＥＳ）、制御部２０３は、メモリに格納されているＳＰＤＩＦ接続端子情報を参照し、Ｓ／ＰＤＩＦ端子２０５ｂのロック状態を検出する（ステップＳ３０２）。なお、本実施形態では、上述したように、ＳＰＤＩＦ接続端子情報は、Ｓ／ＰＤＩＦ端子２０５ｂがテレビ１０と接続されていることを示している。
【０１４２】
また、制御部２０３は、Ｓ／ＰＤＩＦ端子２０５ｂがロック状態であるか否か（すなわち、テレビ１０から効果音データが入力されているか否か）を判定する(ステップＳ３０３)。
【０１４３】
Ｓ／ＰＤＩＦ入力がロックされていないと判定した場合（ステップＳ３０３においてＮＯ）、制御部２０３は、再びＳ／ＰＤＩＦ入力のロック状態を検出する。すなわち、制御部２０３は、Ｓ／ＰＤＩＦ入力がロックされていると判定するまで、ステップＳ３０２〜Ｓ３０３の処理を繰り返す。
【０１４４】
Ｓ／ＰＤＩＦ入力がロックされていると判定した場合（ステップＳ３０３においてＹＥＳ）、制御部２０３は、テレビ１０から入力される操作音データが示す操作音を、ＨＤＭＩケーブル４０のＡＲＣを用いて入力されるＭＰＥＧ２ストリームの音声データが示す音声に重畳して出力する旨の指示を音声処理部２０６に通知する。
【０１４５】
音声処理部２０６は、制御部２０３からの通知に従い、ＭＰＥＧ２ストリームの音声データを復号した音声信号に、操作音データを復号した操作音信号を重畳し、アンプ２０７に供給する。アンプ２０７は、供給された音声信号及び操作音信号が示す音声及び操作音を出力するよう、スピーカ２０８を駆動する（ステップＳ３０４）。
【０１４６】
上述の構成によれば、ＡＶアンプ２０は、テレビ１０における音声の品質の劣化を防ぎ、コストの増大を抑えると共に、ＭＰＥＧ２ストリームの音声データ及び効果音データの表す音声を出力することができる。
【０１４７】
また、上述の構成によれば、ＡＶアンプ２０は、制御部２０３によってＳ／ＰＤＩＦケーブル４５が接続されていることが確認されたＳ／ＰＤＩＦ端子２０５ｂ以外のＳ／ＰＤＩＦ端子２０５を介して入力されるデータが表す音声については、ＭＰＥＧ２ストリームの音声データの表す音声に重畳して出力しない。したがって、ＡＶアンプ２０は、ＨＤＭＩケーブル４０及びＳ／ＰＤＩＦケーブル４５以外のケーブルがＡＶアンプ２０に接続されている場合にも、ＨＤＭＩケーブル４０及びＳ／ＰＤＩＦケーブル４５以外のケーブルを介して入力されるデータが表す音声を出力してしまうことを防ぐことができる。
【０１４８】
＜実施形態２＞
発明の他の実施形態について、図６を参照して説明すれば、以下の通りである。なお、説明の便宜上、実施形態１に係る構成要素と同様の機能を有する構成要素には同一の番号を付し、その説明を省略する。本実施形態では、主に、実施形態１との相違点について説明するものとする。
【０１４９】
なお、本実施形態では、再生装置はレコーダによって実現され、音声出力装置はＡＶアンプによって実現されているため、以降ではそれぞれレコーダ、及び、ＡＶアンプと呼称する。
【０１５０】
〔音声再生システム〕
図６は、本実施形態に係る音声再生システム２の構成の概略を示すブロック図である。図６に示すように、本実施形態に係る音声再生システム２を構成するテレビ１１、及び、ＡＶアンプ２１は、ＨＤＭＩケーブル４１によって接続されている。また、ＡＶアンプ２１、及び、レコーダ３１は、ＨＤＭＩケーブル（第１の伝送ケーブル）４２及びＳ／ＰＤＩＦケーブル（第２の伝送ケーブル）４６によって接続されている。
【０１５１】
以下では、テレビ１１、ＡＶアンプ２１、及び、レコーダ３１のそれぞれの構成について、図６を参照して説明する。
【０１５２】
（テレビの構成）
本実施形態に係るテレビ１１は、実施形態１に係るテレビ１０と同じ構成であるため、ここでは説明を省略する。なお、図６には、ＡＶアンプ２１との接続を表すため、便宜的に制御部１１０、ＨＤＭＩレシーバ１１２、及び、ＨＤＭＩ端子１１３を示しているが、テレビ１１は、実施形態１に係るテレビ１０の備える他の構成要素と同じ構成要素を備えている。
【０１５３】
（ＡＶアンプの構成）
まず、本実施形態に係るＡＶアンプ２１の構成について、図６を参照して説明する。ＡＶアンプ２１は、ＨＤＭＩトランスミッタ２１１、ＨＤＭＩ端子２１２、ＨＤＭＩレシーバ（第１の取得手段）２１３、ＨＤＭＩ端子２１４、及び、音声処理部２１６を備えていること以外は、実施形態１に係るＡＶアンプ２０と同じ構成である。
【０１５４】
ＨＤＭＩレシーバ２１３は、ＨＤＭＩ端子２１４に接続されているＨＤＭＩケーブル４２のＴＭＤＳラインを介してレコーダ３１から入力される映像データ、音声データ、及び、クロックデータを受信する。
【０１５５】
ＨＤＭＩトランスミッタ２１１は、ＨＤＭＩ端子２１２に接続されているＨＤＭＩケーブル４１のＴＭＤＳラインを介して映像データ、音声データ、及び、クロックデータを送信する。
【０１５６】
ＨＤＭＩレシーバ２１３に入力される映像データ及び音声データ、及び、ＨＤＭＩトランスミッタ２１１から出力される映像データ及び音声データは、例えば、映像処理部３０３及び音声処理部３０４において復調されたＭＰＥＧ２ストリームの映像データ及び音声データであればよい。
【０１５７】
音声処理部２１６は、ＨＤＭＩトランスミッタ２１１から供給されたＭＰＥＧ２ストリームの音声データに、効果音データを重畳する。音声処理部２１６は、例えば、供給されたＭＰＥＧ２ストリームの音声データを音声信号に復号する復号部、効果音データを効果音信号に復号する効果音復号部、及び、音声信号に効果音信号を重畳する重畳部などにより構成することができる。
【０１５８】
音声処理部２０６は、音声信号及び効果音が表す音声及び効果音がスピーカ２０８から出力されるよう、音声信号をアンプ２０７に供給する。
【０１５９】
（レコーダの構成）
次に、本実施形態に係るレコーダ３１の構成について、図６を参照して説明する。レコーダ３１は、図６に示すように、チューナ３０１、デコーダ３０２、映像処理部３０３、音声処理部３０４、メモリ３０５、リモコン受信部３０６、制御部（検知手段）３０７、デジタルオーディオトランスミッタ（第２の出力手段）３０８、Ｓ／ＰＤＩＦ端子３０９、ＨＤＭＩトランスミッタ（第１の出力手段）、及び、ＨＤＭＩ端子３１１を備えている。
【０１６０】
チューナ３０１は、放送番組を受信するためのチューナである。チューナ３０１としては、例えば、地上デジタル放送により放送される放送番組を受信する地上デジタル放送チューナ、及び、衛星放送により放送される放送番組を受信する衛星放送チューナなどを挙げることができる。
【０１６１】
デコーダ３０２は、チューナ３０１によって受信された放送番組を復調し、映像部分及び音声部分に分割する手段である。デコーダ３０２は、例えば、受信された放送番組の受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、及び、ＭＰＥＧ２ストリームを映像部分（ＭＰＥＧ２ストリームの映像データ）と音声部分（ＭＰＥＧ２ストリームの音声データ（圧縮音声ストリームデータ））とに分割する分割部などにより構成することができる。デコーダ３０２により復号されたＭＰＥＧ２ストリームの映像データ及び音声データは、それぞれ、映像処理部３０３及び音声処理部３０４に供給さる。
【０１６２】
映像処理部３０３は、供給されたＭＰＥＧ２ストリームの映像データを復号した映像信号をＨＤＭＩトランスミッタ３１０に供給する。
【０１６３】
映像処理部３０３は、例えば、供給されたＭＰＥＧ２ストリームの映像データを映像信号に復号する復号部、及び、映像信号に画質を調整する処理及びスケーリングを行う処理などを施す処理部などにより構成することができる。
【０１６４】
音声処理部３０４は、供給されたＭＰＥＧ２ストリームの音声データをＨＤＭＩトランスミッタ３１０に供給する。音声処理部３０４は、供給されたＭＰＥＧ２ストリームの音声データをそのままＨＤＭＩトランスミッタ３１０に供給してもよいし、ＭＰＥＧ２ストリームの音声データを復号した音声信号をＨＤＭＩトランスミッタ３１０に供給してもよい。
【０１６５】
音声処理部３０４は、例えば、供給されたＭＰＥＧ２ストリームの音声データを音声信号に復号する復号部、及び、音声信号に音質を調整する処理及び音量を調整する処理などを施す処理部などにより構成することができる。
【０１６６】
音声処理部３０４は、制御部３０７からの指示に従い、メモリ３０５から効果音データを読み出す。また、音声処理部３０４は、チューナ３０１によって受信された放送番組に、警報音を出力する旨を指示する情報が含まれている場合には、メモリ３０５から警報音データを読み出す。
【０１６７】
メモリ３０５には、効果音データ（他の音声データ）が格納されている。効果音としては、例えば、リモコン操作をうけつけた場合に出力される操作音、テレビ電話システムの着信音、及び、緊急地震速報の警報音などを挙げることができる。
【０１６８】
リモコン受信部３０６は、ユーザがリモコンを操作することにより送信されるリモコン信号を受信する。リモコン受信部３０６は、受信したリモコン信号を制御部１１０に供給する。
【０１６９】
制御部３０７は、レコーダ３１が備える各部を制御する。また、制御部３０７は、リモコン受信部３０６が受信したリモコン信号に応じてレコーダ３１が備える各部を制御する。また、制御部３０７は、リモコン信号を受信すると、リモコン信号が示すリモコン操作の内容に対応した操作音をメモリ３０５から読み出すよう、音声処理部３０４に通知する。
【０１７０】
さらに、制御部３０７は、ＨＤＭＩ端子３１１に接続されているＨＤＭＩケーブル４２のＣＥＣラインを介してＡＶアンプ２１との間でベンダーコマンドを送受信することにより、ＡＶアンプ２１との接続確認を行う。
【０１７１】
ＨＤＭＩトランスミッタ３１０は、ＨＤＭＩ端子３１１に接続されているＨＤＭＩケーブル４２のＴＭＤＳラインを介して、ＭＰＥＧ２ストリームの映像データ、音声データ、及び、クロックデータを出力する。
【０１７２】
なお、本実施形態では、ＡＶアンプ２１にレコーダ３１が接続されている場合を例に挙げて説明したが、本発明はこれに限定されるものではなく、例えば、ケーブルテレビのセットトップボックス（ＳＴＢ）などが接続される構成を採用してもよい。
【０１７３】
なお、本実施形態に係る接続確認処理及び効果音再生処理は、実施形態１に係る接続確認処理及び効果音再生処理と同様であるため、ここでは説明を省略する。
【０１７４】
〔プログラムおよび記録媒体〕
テレビ１０、ＡＶアンプ２０及びレコーダ３１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１７５】
後者の場合、テレビ１０、ＡＶアンプ２０及びレコーダ３１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０、ＡＶアンプ２０及びレコーダ３１の制御プログラムのプログラムコード（実行形式プログラム、中間コードプログラム、ソースプログラム）をコンピュータで読み取り可能に記録した記録媒体を、テレビ１０、ＡＶアンプ２０及びレコーダ３１のそれぞれに供給し、そのコンピュータ（またはＣＰＵやＭＰＵ）が記録媒体に記録されているプログラムコードを読み出し実行することによっても、達成可能である。
【０１７６】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１７７】
また、上記プログラムコードは、通信ネットワークを介してテレビ１０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が使用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも使用可能である。
【０１７８】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１７９】
本発明は、テレビ、ディスプレイ、モニタなどのコンテンツ再生装置に好適に適用することができる。
【符号の説明】
【０１８０】
１０              テレビ（再生装置）
１１              テレビ
２０、２１        ＡＶアンプ（音声出力装置）
３１              レコーダ（再生装置）
４０、４２        ＨＤＭＩケーブル（第１の伝送ケーブル）
４１              ＨＤＭＩケーブル
４５、４６        Ｓ／ＰＤＩＦケーブル（第２の伝送ケーブル）
１０１            チューナ
１０２            デコーダ
１０３            映像処理部
１０４            モニタ
１０５            音声処理部
１０６            アンプ
１０７            スピーカ（音声出力手段）
１０８            メモリ
１０９            リモコン受信部
１１０            制御部（検知手段）
１１１            ＡＲＣ出力回路（第１の出力手段）
１１２            ＨＤＭＩレシーバ
１１３            ＨＤＭＩ端子
１１４            デジタルオーディオトランスミッタ（第２の出力手段）
１１５            Ｓ／ＰＤＩＦ端子
２０１            ＨＤＭＩトランスミッタ（第１の取得手段）
２０２、２１２、２１４  ＨＤＭＩ端子
２０３            制御部（確認手段）
２０４            デジタルオーディオレシーバ（第２の取得手段）
２０５            Ｓ／ＰＤＩＦ端子（接続端子）
２０５ａ、２０５ｂ、２０５ｃ    Ｓ／ＰＤＩＦ端子（接続端子）
２０６、２１６    音声処理部
２０７            アンプ
２０８            スピーカ（音声出力手段）
２１１            ＨＤＭＩトランスミッタ
２１３            ＨＤＭＩレシーバ（第１の取得手段）
３０１            チューナ
３０２            デコーダ
３０３            映像処理部
３０４            音声処理部
３０５            メモリ
３０６            リモコン受信部
３０７            制御部（検知手段）
３０８            デジタルオーディオトランスミッタ（第２の出力手段）
３０９            Ｓ／ＰＤＩＦ端子
３１０            ＨＤＭＩトランスミッタ（第１の取得手段）
３１１            ＨＤＭＩ端子
【図１】
2013150079.tif 000003
【図２】
2013150079.tif 000004
【図３】
2013150079.tif 000005
【図４】
2013150079.tif 000006
【図５】
2013150079.tif 000007
【図６】
2013150079.tif 000008
【図７】
2013150079.tif 000009